(57)【要約】【課題】本発明は、健康管理システムにおいて、ユーザが「頭痛する」などのユーザ自身が感じる体調を伝えたり、治療方針や投薬内容についての問い合わせをするためのメッセージを簡便に入力、送信できるようにすることを課題とする。【解決手段】手書きメッセージ入力手段１ｂによりメッセージを手書き文字として入力し、その画像を通信ネットワーク３を介してサーバ４へ送信する。【選択図】　図１
2004133601.tif 000002
【特許請求の範囲】
【請求項１】
ユーザの生体情報とユーザが発信するメッセージとを通信ネットワークを介してサーバに収集し健康状態を遠隔管理する方法であって、ユーザが発信するメッセージを手書き文字として入力する健康管理方法。
【請求項２】
ユーザの生体情報とユーザが発信するメッセージとを通信ネットワークを介してサーバに収集し健康状態を遠隔管理するシステムであって、ユーザが発信するメッセージを手書き文字として入力する健康管理システム。
【請求項３】
ユーザの生体情報を取得しユーザが発信するメッセージを入力するユーザ端末と、通信ネットワークと、前記ユーザ端末により取得された生体情報および入力されたメッセージを前記通信ネットワークを介して収集するサーバを備え、前記ユーザ端末はユーザが発信するメッセージを手書き文字として入力する手書きメッセージ入力手段と、入力された手書き文字を画像として表示する表示手段と、前記表示手段に画像として表示された手書き文字をサーバへと送信する送信手段を有する請求項２記載の健康管理システム。
【請求項４】
送信手段は表示手段に画像として表示された手書き文字をデータ圧縮してサーバへと送信する構成とした請求項３記載の健康管理システム。
【請求項５】
手書きメッセージ入力手段はタブレットを用いてメッセージを入力する構成とした請求項３記載の健康管理システム。
【請求項６】
手書きメッセージ入力手段は光透過型のタブレットを表示手段上に配置しタッチパネルとして構成した請求項５記載の健康管理システム。
【請求項７】
手書きメッセージ入力手段はメッセージを電子カメラで読み込む構成とした請求項３記載の健康管理システム。
【請求項８】
手書きメッセージ入力手段はメッセージをスキャナで読み込む構成とした請求項３記載の健康管理システム。
【発明の詳細な説明】
【０００１】
【発明の属する技術分野】
本発明は、ユーザの生体情報とユーザが発信するメッセージとを通信ネットワークを介してサーバに収集し健康状態を遠隔管理する健康管理方法および健康管理システムに関するものであり、特にユーザが発信するメッセージの入力方法に関するものである。
【０００２】
【従来の技術】
近年、日本では人口の急速な高齢化や医療の高度化に伴って、医療費の高騰と健康保険財政の逼迫が懸念され、従来推奨されてきた病気の早期発見、早期治療だけでなく、病気にならないための健康管理が、個人的には勿論、社会的にも求められつつある。
【０００３】
一方、米国においては、病院で行うべき治療と自宅で可能な治療とが明確に区別され、手術を行った場合でも患者を数日で退院させ、訪問看護などにより経過を在宅管理することが広く行われている。
【０００４】
これらの病気を未然に防ぐための健康管理や退院後の在宅管理を効率的に行う手段の一つとして、自宅で測定されたユーザの体温、体重、血圧、血糖値などの生体情報を公衆回線やケーブルテレビ、インターネットなどの通信ネットワークを介してサーバに収集し、収集した生体情報を医師や管理栄養士など遠方に位置する専門家が参照して、必要に応じてアドバイスをしたり通院を促したりする健康管理システムが提案されている。
【０００５】
こうした健康管理システムでは、これまで生体情報を正確に取得することだけに重点が置かれてきたが、ユーザの健康状態を的確に把握するには、数値として現われる生体情報を見るだけではなく、頭痛や寒気がするとか体が重いといったユーザ自身が感じる体調も勘案し、総合的に判断する必要がある。
【０００６】
また、インフォームドコンセントの観点から、ユーザが治療方針や投薬内容について質問できることも必要である。
【０００７】
しかしながら、ユーザが自らの体調について伝えたり質問したりするためにメッセージを発信することの必要性や、メッセージの適切な入力方法についてはこれまであまり議論されてこなかった。
【０００８】
メッセージの発信を可能にする公知の技術としては、電話やファクシミリが広く普及している。
【０００９】
また、近年では、パーソナルコンピュータや携帯電話を媒介とした、いわゆる電子メールによるメッセージの発信も広まりつつある。
【００１０】
更に、電子メールの応用として、特開平１１−９５６１号公報には、ユーザ端末上で複数の電子メールの本文と送信先とを複数のスイッチに一対一に対応づけて予め記憶させておき、押下されたスイッチに応じて記憶されている本文の一つを定められた送信先へ電子メールとして送信する技術も提案されている。
【００１１】
【特許文献１】
特開平１１−９５６１号公報
【００１２】
【発明が解決しようとする課題】
しかしながら、電話によるメッセージの発信には、医師が外出中であったり通話中であったりすると何度もかけ直さねばならないという課題がある。また、生体情報はサーバに自動的に記録されるが、電話で話した内容は医師が個別に入力しない限りサーバには記録されず、生体情報と一括管理できないという課題がある。
【００１３】
ファクシミリを用いる場合には、医師が外出中であってもメッセージを伝えることができるが、医師が個別に転記してサーバに入力しない限り、生体情報とメッセージをサーバ上で一括管理できないという課題は残ってしまう。
【００１４】
電子メールを用いる場合には、電子メールの内容をサーバが自動的に記録することにより、ユーザの生体情報とメッセージとを容易に一括管理できるが、ユーザがキーボードや携帯電話を用いて文字を入力する必要があるため、こうした煩雑な入力操作を伴う情報機器に不慣れな人もユーザとなり得る健康管理システムにそのまま導入するのは適切でない。
【００１５】
特開平１１−９５６１号公報で提案されている技術はキーボードなどによる文字入力操作を不要とするものであるが、予め登録されたメッセージしか伝えることができないという課題がある。
【００１６】
【課題を解決するための手段】
本発明は上記課題を解決し、ユーザが頭痛や寒気がするとか体が重いといった自らが感じる体調や治療方針についての質問を、メッセージとして簡便に入力できるようにし、同時に生体情報とメッセージとが一括管理されるようにすることによって、生体情報とユーザ自らが感じる体調の両方を勘案した遠隔医療サービス、および、遠隔医療サービスにおけるインフォームドコンセントを実現することを目的としてなされたものであり、ユーザの生体情報と手書き文字として入力されたメッセージとを通信ネットワークを介してサーバに収集するものである。
【００１７】
これにより、電話のように医師の都合が悪ければユーザが何度もメッセージの発信を試み直さねばならないという課題が解消し、ユーザはいつでもメッセージを発信可能となる。
【００１８】
また、ユーザのメッセージを直接サーバに収集するので、電話やファクシミリを用いる場合のようにメッセージを医師がわざわざサーバに入力しなくても、ユーザの生体情報とメッセージとをサーバで一括管理することが可能となる。
【００１９】
更に、ユーザは紙と鉛筆で文字を書くのと同じ要領で文字を手書きしてメッセージを入力すればよいので、情報機器の操作に不慣れなユーザでも容易にメッセージを入力することが可能となる。
【００２０】
更に、特開平１１−９５６１号公報のように発信したいメッセージを予め登録しておくことなく、ユーザは任意のメッセージを自由に発信することが可能となる。
【００２１】
【発明の実施の形態】
本発明の請求項１に係る健康管理方法は、ユーザの生体情報とユーザが発信する手書き文字として入されたメッセージとを通信ネットワークを介してサーバに収集する方法としている。
【００２２】
そして、ユーザが発信したメッセージは通信ネットワークを介してサーバへと自動的に発信され記録されるので、ユーザは医師の都合に係わらずいつでもメッセージを発信可能となるとともに、メッセージを医師がわざわざサーバに入力しなくても、ユーザの生体情報とメッセージとをサーバで一括管理することができる。また、ユーザは紙と鉛筆で文字を書くのと同じ要領で文字を手書きしてメッセージを入力すればよいので、情報機器の操作に不慣れなユーザでも任意のメッセージを容易に入力することができる。
【００２３】
本発明の請求項２に係る健康管理システムは、ユーザの生体情報とユーザが発信する手書き文字として入されたメッセージとを通信ネットワークを介してサーバに収集するシステムとしている。
【００２４】
そして、ユーザが発信したメッセージは通信ネットワークを介してサーバへと自動的に発信され記録されるので、ユーザは医師の都合に係わらずいつでもメッセージを発信可能となるとともに、メッセージを医師がわざわざサーバに入力しなくても、ユーザの生体情報とメッセージとをサーバで一括管理することができる。また、ユーザは紙と鉛筆で文字を書くのと同じ要領で文字を手書きしてメッセージを入力すればよいので、情報機器の操作に不慣れなユーザでも任意のメッセージを容易に入力することができる。
【００２５】
本発明の請求項３に係る健康管理システムは、ユーザの生体情報を取得しユーザが発信するメッセージを入力するユーザ端末と、通信ネットワークと、前記ユーザ端末により取得された生体情報および入力されたメッセージを前記通信ネットワークを介して収集するサーバを備え、前記ユーザ端末はユーザが発信するメッセージを手書き文字として入力する手書きメッセージ入力手段と、入力された手書き文字を画像として表示する表示手段と、前記表示手段に画像として表示された手書き文字をサーバへと送信する送信手段を有する構成としている。
【００２６】
そして、手書きメッセージ入力手段によりユーザが発信しようとするメッセージを手書き文字として入力させ、確認のためにその手書き文字を前記表示手段に画像として表示させ、確認が済んだ手書き文字からなるメッセージを送信手段によりサーバへと送信し記憶させるので、ユーザは医師の都合に係わらずいつでもメッセージを発信可能となるとともに、メッセージを医師がわざわざサーバに入力しなくても、ユーザの生体情報とメッセージとをサーバで一括管理することができる。また、ユーザは紙と鉛筆で文字を書くのと同じ要領で文字を手書きしてメッセージを入力すればよいので、情報機器の操作に不慣れなユーザでも任意のメッセージを容易に入力することができる。
【００２７】
本発明の請求項４に係る健康管理システムは、送信手段は表示手段に画像として表示された手書き文字をデータ圧縮してサーバへと送信する構成としている。
【００２８】
そして、手書き文字からなるメッセージの画像を圧縮してからサーバへと送信するので、通信ネットワークの通進路容量が小さい場合でも短時間で手書きメッセージを送信することができる。
【００２９】
本発明の請求項５に係る健康管理システムは、手書きメッセージ入力手段はタブレットを用いてメッセージを入力する構成としている。
【００３０】
そして、ユーザは紙と鉛筆で文字を書くのと同じ要領でタブレット上で文字を手書きしてメッセージを入力すればよいので、情報機器の操作に不慣れなユーザでも任意のメッセージを容易に入力することができる。
【００３１】
本発明の請求項６に係る健康管理システムは、手書きメッセージ入力手段は光透過型のタブレットを表示手段上に配置しタッチパネルとして構成している。
【００３２】
そして、ユーザは紙と鉛筆で文字を書くのと同じ要領で、タッチパネル上で触れた位置で書いた文字を確認しながら手書きしてメッセージを入力すればよいので、情報機器の操作に不慣れなユーザでも任意のメッセージを容易に入力することができる。
【００３３】
本発明の請求項７に係る健康管理システムは、手書きメッセージ入力手段はメッセージを電子カメラで読み込む構成としている。
【００３４】
そして、ユーザはメッセージを紙に書いた後に電子カメラで撮影するだけでよいので、情報機器の操作に不慣れなユーザでも任意のメッセージを容易に入力することができる。
【００３５】
本発明の請求項８に係る健康管理システムは、手書きメッセージ入力手段はメッセージをスキャナで読み込む構成としている。
【００３６】
そして、ユーザはメッセージを紙に書いた後にスキャナで読み込むだけでよいので、情報機器の操作に不慣れなユーザでも任意のメッセージを容易に入力することができる。
【００３７】
【実施例】
以下、本発明の実施例について図面を用いてさらに詳しく説明する。
【００３８】
（実施例１）
図１は本発明の実施例１の健康管理システムを示す構成図である。
【００３９】
図１において、１はユーザの生体情報を取得するとともにユーザが発信するメッセージを入力するユーザ端末であり、内部にユーザの生体情報を取得する生体情報取得手段１ａと、ユーザが発信するメッセージを手書き文字として入力する手書きメッセージ入力手段１ｂと、液晶ディスプレイからなり画像を表示する表示手段１ｄと、ユーザの生体情報およびユーザが発信するメッセージを送信する送信手段１ｅと、外部からのメッセージを受信する受信手段１ｆと、このユーザ端末１を使用するユーザを表すユーザ識別子を記憶するユーザ識別子記憶手段１ｇを備えている。このうち手書きメッセージ入力手段１ｂは、透明素材でできた感圧型のタブレット１ｃを有している。タブレット１ｃは表示手段１ｄの画面の上に重ねて配置され、表示手段１ｄと一体化していわゆるタッチパネルを構成している。ユーザ端末１は１人のユーザが１台使用し、ユーザに固有のユーザ識別子がユーザ識別子記憶手段１ｇに記憶されている。すなわち、ユーザＡとユーザＢが存在する場合には、ユーザＡ、Ｂは各々１台ずつユーザ端末１を保有し、各ユーザ端末１中のユーザ識別子記憶手段１ｇにはそれぞれ異なるユーザ識別子が記憶されることになる。また、２−１は生体情報の一つである体温を測定する測定手段、２−２は生体情報の一つである血糖値を測定する測定手段、３は地域光通信網により実現された通信ネットワーク、４はサーバ、５は医師や管理栄養士がユーザの健康管理に用いる医師端末である。医師端末５は汎用のパーソナルコンピュータと専用のソフトウェアにより実現されている。
【００４０】
また、図２〜図５は表示手段１ｄに表示される画面の内容を説明する説明図である。
【００４１】
図２において、６は画面の全体、６ａ、６ｂ、６ｃは画面６中に表示されたボタンである。
【００４２】
また、図５において、６ｄ、６ｅ、６ｆ、６ｇ、６ｈ、６ｊは画面６中に表示されたボタン、６ｋは手書きメッセージを入力するメッセージ入力領域である。
【００４３】
次に、動作、作用について説明する。
【００４４】
ユーザ端末１が起動されると、表示手段１ｄは図２に示すように、画面６中に「測定する」ボタン６ａと「メッセージを送る」ボタン６ｂと「メッセージを読む」ボタン６ｃとを表示する。
【００４５】
ユーザは表示手段１ｄの画面の上に重ねて配置されいわゆるタッチパネルを構成するタブレット１ｃ上でボタン６ａ〜６ｃが表示されている領域に触れることにより、ユーザ端末１を操作する。表示手段１ｄが他の表示を行っている場合も同様に、画面上のボタンが表示されている領域に触れて操作する。
【００４６】
まず、生体情報を取得する場合の動作について説明する。
【００４７】
ユーザは図２の画面６中に表示されている「測定する」ボタン６ａに触れた後生体情報の測定を行う。
【００４８】
ユーザが「測定する」ボタン６ａに触れたとき、表示手段１ｄに画面６中からボタン６ａ〜６ｃを消去させ、新たに「やめる」ボタン（図示せず）を表示させる。ユーザは図２の画面で誤って「測定する」ボタン６ａに触れた場合には、この「やめる」ボタンに触れることにより生体情報を測定することなく図２の画面に戻ることができる。
【００４９】
ユーザは、「測定する」ボタン６ａに意識して触れた場合には、この後、測定手段２−１または測定手段２−２のいずれかを用いて生体情報を測定する。
【００５０】
測定手段２−１は、ユーザの操作により生体情報のひとつである体温を測定する。以下、説明の都合上、測定された体温をＴで表す。測定後、測定手段２−１は測定値が体温であることを示す生体情報識別子ＩＤ＿Ｔとともに測定した体温Ｔを赤外線に変換したディジタル信号として生体情報取得手段１ａへ供給する。
【００５１】
測定手段２−２は、ユーザの操作により生体情報のひとつである血糖値を測定する。以下、説明の都合上、測定された血糖値をＧで表す。測定後、測定手段２−２は測定値が血糖値であることを示す生体情報識別子ＩＤ＿Ｇとともに測定した血糖値Ｇを赤外線に変換したディジタル信号として生体情報取得手段１ａへ供給する。
【００５２】
生体情報取得手段１ａは、測定手段２−１または測定手段２−２から赤外線が供給されたとき、赤外線に含まれる生体情報識別子に基づいて生体情報の値を復元する。すなわち、生体情報識別子がＩＤ＿Ｔである場合には生体情報として体温Ｔを復元し、生体情報識別子がＩＤ＿Ｇである場合には生体情報として血糖値Ｇを復元する。この後、生体情報取得手段１ａは、生体情報識別子がＩＤ＿Ｔである場合には文字列「体温」と体温Ｔと文字列「℃」とを表示手段１ｄへ供給するとともに、生体情報識別子ＩＤ＿Ｔと体温Ｔとを送信手段１ｅへと供給する。一方、生体情報識別子がＩＤ＿Ｇである場合には文字列「血糖値」と血糖値Ｇと文字列「ｍｇ／ｄＬ」とを表示手段１ｄへ供給するとともに、生体情報識別子ＩＤ＿Ｇと血糖値Ｇとを送信手段１ｅへと供給する。
【００５３】
表示手段１ｄは、生体情報取得手段１ａから供給された２つの文字列と生体情報を表す値を並べて表示する。例えば、文字列「体温」と体温Ｔと文字列「℃」とが供給され体温Ｔの値が３６．３である場合には、表示手段１ｄの画面６には、図３に示すように「体温３６．３℃」と表示される。一方、文字列「血糖値」と血糖値Ｇと文字列「ｍｇ／ｄＬ」とが供給され血糖値Ｇの値が１２８であった場合には、図４に示すように「血糖値１２８ｍｇ／ｄＬ」と表示される。表示手段１ｄは、５秒間この表示を続けた後、再び図２の画面を表示する。
【００５４】
ユーザ識別子記憶手段１ｇは、ユーザ端末１を使用するユーザのユーザ識別子を記憶している。
【００５５】
送信手段１ｅは、生体情報取得手段１ａから生体情報識別子と生体情報の値とが供給されたとき、ユーザ識別子記憶手段１ｇに記憶されているユーザ識別子を読込み、読込んだユーザ識別子と生体情報取得手段１ａから供給された生体情報識別子と生体情報の値とを組にして通信ネットワーク３を介してサーバ４へと送信する。
【００５６】
サーバ４は、通信ネットワーク３を介して送信されてきたユーザ識別子と生体情報識別子と生体情報の値とを組にして記憶する。
【００５７】
以上のようにしてユーザの生体情報はサーバ４に記憶される。
【００５８】
次に、ユーザがメッセージを入力する際の動作について説明する。
【００５９】
ユーザはメッセージを発信するとき、表示手段１ｄに図２の画面が表示されている状態で、「メッセージを送る」ボタン６ｂに触れる。
【００６０】
手書きメッセージ入力手段１ｂは「メッセージを送る」ボタン６ｂに触れられたときに起動され、表示手段１ｄの画面６中からボタン６ａ〜６ｃを消去させ、新たに図５のように「黒」ボタン６ｄと、「赤」ボタン６ｅと、「消ゴム」ボタン６ｆと、「全消去」ボタン６ｇと、「やめる」ボタン６ｈと、「送る」ボタン６ｊと、メッセージ入力領域６ｋとを表示させる。メッセージ入力領域６ｋは初期状態では白で塗り潰されている。
【００６１】
手書きメッセージの入力は、ユーザが「黒」ボタン６ｄか「赤」ボタン６ｅに触れることにより開始される。
【００６２】
ユーザが「黒」ボタン６ｄに触れた後にメッセージ入力領域６ｋ中に位置するタブレット１ｃ上の任意の点に触れたとき、手書きメッセージ入力手段１ｂはその点を中心とする一辺５ピクセルの黒い矩形を表示手段１ｄに表示させる。その後、ユーザがタブレット１ｃに触れたまま触れる点を移動した場合には、移動した点を中心として再びその点を中心とする一辺５ピクセルの黒い矩形を表示手段１ｄに表示させる。新たな黒い矩形の描画は、ユーザがタブレット１ｃに触れるのをやめるか、触れる点がメッセージ入力領域６ｋからはみ出したときに終了する。なお、ユーザがメッセージ入力領域６ｋに触れる際には、指先ではなくキャップをしたペン先など、タブレット１ｃを汚したり傷付けたりしない範囲で細いものを用いる方が望ましい。
【００６３】
ユーザが「赤」ボタン６ｅに触れた後にメッセージ入力領域６ｋ中に位置するタブレット１ｃ上の任意の点に触れたとき、手書きメッセージ入力手段１ｂはその点を中心とする一辺５ピクセルの赤い矩形を表示手段１ｄに表示させる。その後、ユーザがタブレット１ｃに触れたまま触れる点を移動した場合には、移動した点を中心として再びその点を中心とする一辺５ピクセルの赤い矩形を表示手段１ｄに表示させる。新たな赤い矩形の描画は、ユーザがタブレット１ｃに触れるのをやめるか、触れる点がメッセージ入力領域６ｋからはみ出したときに終了する。
【００６４】
このようにして黒または赤で入力された手書きメッセージは、「消ゴム」ボタン６ｆか「全消去」ボタン６ｇに触れることにより消去することができる。
【００６５】
ユーザが「消ゴム」ボタン６ｆに触れた後にメッセージ入力領域６ｋ中に位置するタブレット１ｃ上の任意の点に触れたとき、手書きメッセージ入力手段１ｂはその点を中心とする一辺１１ピクセルの白い矩形を表示手段１ｄに表示させる。その後、ユーザがタブレット１ｃに触れたまま触れる点を移動した場合には、移動した点を中心として再びその点を中心とする一辺１１ピクセルの白い矩形を表示手段１ｄに表示させる。新たな白い矩形の描画は、ユーザがタブレット１ｃに触れるのをやめるか、触れる点がメッセージ入力領域６ｋからはみ出したときに終了する。メッセージ入力領域６ｋ中の黒または赤で描画されていないピクセルは全て白なので、この操作によりユーザは一旦入力した手書きメッセージを部分的に選択して消すことができる。
【００６６】
ユーザが「全消去」ボタン６ｇに触れた場合には、手書きメッセージ入力手段１ｂは表示手段１ｄにメッセージ入力領域６ｋ中の全てのピクセルを白で上書きさせる。この操作によりユーザは一旦入力した手書きメッセージをまとめて全て消すこともできる。
【００６７】
書いたメッセージを発信したくなくなったとき、あるいは、図２の画面で誤って「メッセージを送る」ボタン６ｂに触れた場合には、「やめる」ボタン６ｈに触れることによりメッセージを発信することなく図２の画面に戻ることができる。
【００６８】
メッセージを書き終り、発信する場合には、ユーザは「送る」ボタン６ｊに触れる。
【００６９】
図１に戻って、ユーザが「送る」ボタン６ｊに触れたとき、ユーザ端末１はメッセージ入力領域６ｋに表示されている画像を読み出して送信手段１ｅへと供給する。
【００７０】
送信手段１ｅは、画像が供給されたときユーザ識別子記憶手段１ｇに記憶されているユーザ識別子を読込み、読込んだユーザ識別子と供給された画像とを組にして通信ネットワーク３を介してサーバ４へと送信する。
【００７１】
この後ユーザ端末１は、表示手段１ｄの表示を図２の状態に戻す。
【００７２】
サーバ４は、通信ネットワーク３を介して送信されてきたユーザ識別子と画像とを組にして記憶する。
【００７３】
以上のようにして、ユーザは表示手段１ｄとともにタッチパネルを構成するタブレット１ｃ上でメッセージを手書き文字として容易に入力し、サーバ４に送ることができる。
【００７４】
医師や管理栄養士は、サーバ４に記憶されている生体情報とユーザが発信した画像からなるメッセージとを通信ネットワーク３を介して医師端末５でユーザごとに参照し、必要に応じてアドバイスや通院を促すメッセージを医師端末５を構成するパーソナルコンピュータのキーボードにより書き込み、通信ネットワーク３を介してサーバ４に書き込む。
【００７５】
サーバ４は、医師端末５からメッセージが書き込まれたとき、その直前に医師端末５が生体情報やメッセージを参照していたユーザに対して書き込まれたメッセージを送るべきものとして、通信ネットワーク３を介してそのユーザが保有するユーザ端末１へと書き込まれたメッセージを送信する。
【００７６】
ユーザ端末１中の受信手段１ｆは、通信ネットワーク３を介してサーバ４から送信されてきたとき、そのメッセージを受信して保存する。
【００７７】
ユーザは図２の画面６中に表示されている「メッセージを読む」ボタン６ｃに触れることにより受信手段１ｆ中に記憶されているメッセージを読む。この機能は本発明の主要な点ではないので詳しい説明は省略する。
【００７８】
本実施例によれば、ユーザが発信したメッセージは通信ネットワーク３を介してサーバ４へと自動的に発信され記録されるので、ユーザは医師の都合に係わらずいつでもメッセージを発信可能となるとともに、メッセージを医師がわざわざサーバ４に入力しなくても、ユーザの生体情報とメッセージとをサーバ４で一括管理することが可能となる。
【００７９】
また、ユーザは紙と鉛筆で文字を書くのと同じ要領でタブレット１ｃ上で文字を手書きしてメッセージを入力すればよいので、情報機器の操作に不慣れなユーザでも容易にメッセージを入力することが可能となる。
【００８０】
更に、特開平１１−９５６１号公報のように発信したいメッセージを予め登録しておく必要がないので、ユーザは任意のメッセージを自由に発信することが可能となる。
【００８１】
そして、ユーザは頭痛や寒気がするとか体が重いといったユーザ自身が感じる体調を手書きメッセージとして簡便に入力でき、入力されたメッセージはサーバへと送信され、サーバ上で生体情報とともにユーザ別に一括して管理されるので、医師は生体情報とユーザ自らが感じる体調の両方を勘案した遠隔医療サービスを提供することができる。
【００８２】
また、治療方針や投薬内容についても手書きメッセージを用いて質問できるので、インフォームドコンセントの実現を容易にすることができる。
【００８３】
また、手書きメッセージの入力に用いる光透過型のタブレット１ｃを表示手段１ｄに重ねて配置してタッチパネルを構成しているので、ユーザは紙と鉛筆で文字を書くのと同じ要領で、タッチパネル上で触れた位置で書いた文字を確認しながら手書きしてメッセージを入力すればよいので、一層容易にメッセージを入力することができる。また、そのタッチパネルを用いてユーザ端末１の全ての操作を行うので、タッチパネルを用いない場合に必要となるハードウェアにより構成される操作ボタンを削減することができる。
【００８４】
（実施例２）　ユーザ端末とサーバを図６のように構成してもよい。
【００８５】
図６において、１１はユーザ端末、１４はサーバである。本実施例のユーザ端末１１は実施例１のユーザ端末１と比較して、手書きメッセージ入力手段１ｂの代わりに図５の画面に「赤」ボタン６ｅを表示せず赤い矩形の描画機能を持たない手書きメッセージ入力手段１１ｂを有する他、画像をデータ圧縮する圧縮手段１１ｈを有する点だけが異なる。また、サーバ１４は実施例１のサーバ４と比較して、画像のデータ圧縮を解き元の画像へと戻す伸張手段１４ａを有する点だけが異なる。その他、実施例１と同一の構成要素については実施例１と同じ符合を付し、詳しい説明は省略する。
【００８６】
次に、動作、作用について説明する。
【００８７】
手書きメッセージ入力手段１１ｂは、図２においてユーザが「メッセージを送る」ボタン６ｂに触れたとき、図５のうち「赤」ボタン６ｅだけを除いた画面を表示する。ユーザが「黒」ボタン６ｄ、「消ゴム」ボタン６ｆ、「全消去」ボタン６ｇ、「やめる」ボタン６ｈに触れたときの動作は実施例１の手書きメッセージ入力手段１ｂと同じである。「赤」ボタン６ｅがないのでメッセージ入力領域６ｋに表示される手書きメッセージは白と黒との２値画像となる。
【００８８】
ユーザが手書きメッセージを入力後、図５の「送る」ボタン６ｊに触れたとき、ユーザ端末１１はメッセージ入力領域６ｋに表示されている画像を読み出して圧縮手段１１ｈへと供給する。
【００８９】
圧縮手段１１ｈは画像が供給されたとき、Ｇ３規格のファクシミリで使用されているいわゆるＭＨ圧縮のアルゴリズムを用いて画像を圧縮し、送信手段１ｅへと供給する。
【００９０】
送信手段１ｅは、圧縮された画像が供給されたときユーザ識別子記憶手段１ｇに記憶されているユーザ識別子を読込み、読込んだユーザ識別子と圧縮された画像とを組にして通信ネットワーク３を介してサーバ１４へと送信する。
【００９１】
サーバ１４中の伸張手段１４ａは、送信手段１ｅから供給された画像の圧縮を解き、元の画像へと復元する。
【００９２】
サーバ１４は、この復元された画像を通信ネットワーク３を介して送信されてきたユーザ識別子と組にして記憶する。
【００９３】
本実施例によれば、通信ネットワーク３を介し画像として送信される手書きメッセージはデータ圧縮されているので、通信ネットワーク３の通進路容量が小さい場合でも通信ネットワーク３にあまり負荷をかけず、短時間で手書きメッセージを送信することができる。
【００９４】
なお、圧縮手段１１ｈが用いる圧縮アルゴリズムはＭＨ圧縮に限定する必要はないが、手書きメッセージが線画であるため自然画の圧縮に広く用いられているＪＰＥＧ圧縮を用いると白画素と黒画素の境界付近に高調波ノイズが発生するので、ＪＰＥＧ圧縮ではなくＧ４規格以上のファクシミリで用いられるＭＲ圧縮やＭＭＲ圧縮など、いわゆるランレングス符合化に基づく可逆圧縮アルゴリズムを用いるのが好ましい。
【００９５】
（実施例３）
手書きメッセージ入力手段１ｂを図７のように構成してもよい。
【００９６】
図７において、７はＣＣＤカメラにより実現された電子カメラである。
【００９７】
本実施例においては、ユーザは手書きメッセージを発信しようとするとき、予め紙にペンやマジックなどでメッセージを書いた後、その紙に電子カメラ７のピントを合わせた後、電子カメラ７により紙に書いた内容を画像として読込ませる。
【００９８】
手書きメッセージ入力手段１ｂは、電子カメラ７により読込まれた画像を送信手段１ｅへと供給する。
【００９９】
なお、実施例１において手書きメッセージ入力手段１ｂに内蔵されていたタブレット１ｃは、タッチパネル上のボタン操作を行う場合にはユーザ端末１内に残しておく。あるいは、タブレット１ｃを完全に排除する場合には、図２〜図５で表示手段１ｄの画面上に表示したボタンをハードウェアボタンとして個別に設けるものとする。
【０１００】
本実施例によれば、ユーザは手書きメッセージを書く際にタブレット１ｃ上ではなく普通の紙とペンを用いればよいので、実施例１と比較してより簡便なメッセージの入力を実現できる。
【０１０１】
（実施例４）
手書きメッセージ入力手段１ｂを図８のように構成してもよい。
【０１０２】
図８において、８はスキャナである。
【０１０３】
本実施例においては、ユーザは手書きメッセージを発信しようとするとき、予め紙にペンやマジックなどでメッセージを書いた後、スキャナ８にその紙に書いた内容を画像として読込ませる。
【０１０４】
手書きメッセージ入力手段１ｂは、スキャナ８により読込まれた画像を送信手段１ｅへと供給する。
【０１０５】
なお、実施例１において手書きメッセージ入力手段１ｂに内蔵されていたタブレット１ｃは、タッチパネル上のボタン操作を行う場合にはユーザ端末１内に残しておく。あるいは、タブレット１ｃを完全に排除する場合には、図２〜図５で表示手段１ｄの画面上に表示したボタンをハードウェアボタンとして個別に設けるものとする。
【０１０６】
本実施例によれば、ユーザは手書きメッセージを書く際にタブレット１ｃ上ではなく普通の紙とペンを用いればよいので、実施例１と比較してより簡便なメッセージの入力を実現できる。
【０１０７】
また、実施例３と比較して、スキャナ８は電子カメラ７のようにピントを合わせるという操作を必要としないので、一層簡便なメッセージの入力を実現できる。
【０１０８】
【発明の効果】
以上説明したように本発明の健康管理方法および健康管理装置は、ユーザが頭痛や寒気がするとか体が重いといった自らが感じる体調を手書き文字でメッセージを容易に入力、発信し、そのメッセージがサーバ上で生体情報と一括管理されるので、医師は生体情報とユーザ自らが感じる体調の両方を勘案した遠隔医療サービスを提供することが可能となる。
【０１０９】
また、ユーザが治療方針についての質問を手書き文字でメッセージを容易に入力、発信できるので、遠隔医療サービスにおけるインフォームドコンセントの実現を推進することも可能となる。
【図面の簡単な説明】
【図１】本発明の実施例１における健康管理システムの構成図
【図２】同表示手段１ｄの表示内容の例を説明する説明図
【図３】同表示手段１ｄの表示内容の例を説明する説明図
【図４】同表示手段１ｄの表示内容の例を説明する説明図
【図５】同表示手段１ｄの表示内容の例を説明する説明図
【図６】本発明の実施例２における健康管理システムの構成図
【図７】本発明の実施例３における手書きメッセージ入力手段の構成図
【図８】本発明の実施例４における手書きメッセージ入力手段の構成図
【符号の説明】
１、１１　ユーザ端末
１ｂ、１１ｂ　手書きメッセージ入力手段
１ｃ　タブレット
１ｄ　表示手段
１ｅ　送信手段
３　通信ネットワーク
４、１４　サーバ
７　電子カメラ
８　スキャナ
【図１】
2004133601.tif 000003
【図２】
2004133601.tif 000004
【図３】
2004133601.tif 000005
【図４】
2004133601.tif 000006
【図５】
2004133601.tif 000007
【図６】
2004133601.tif 000008
【図７】
2004133601.tif 000009
【図８】
2004133601.tif 000010